(57)【要約】【課題】  実際にピントの合っている合焦領域を容易に確認することができる撮像装置及びそのプログラムを実現する。【解決手段】  シャッタボタンが半押しされると、各レンズ位置における各ブロックのＡＦ評価値を算出していくというＡＦサーチを行い（Ｓ３）、ＡＦエリア内のＡＦ評価値に基づいて合焦レンズ位置を検出し、該検出した合焦レンズ位置にフォーカスレンズ２ａを移動させる（Ｓ４）。次いで、合焦レンズ位置と設定された閾値範囲内にあるブロック合焦レンズ位置のブロックを検出することにより合焦領域を検出する（Ｓ５）。そして、該検出した合焦領域の色を検出し（Ｓ６）、該検出された色のうち、ＡＦエリア内で検出された色のうち一番多い色と同じ色の合焦領域のみを識別表示させる（Ｓ７）ことにより、ピントの合った領域をユーザに認識させることができる。【選択図】  図４
2008004996.tif 000002
【特許請求の範囲】
【請求項１】
被写体を撮像する撮像手段と、
前記撮像手段により撮像される被写体に対して、所定のオートフォーカスを行なうオートフォーカス制御手段と、
前記オートフォーカス制御手段によるオートフォーカスによりピントが合った合焦領域を検出する合焦領域検出手段と、
を備えたことを特徴とする撮像装置。
【請求項２】
前記合焦領域検出手段により検出された合焦領域を、前記撮像手段により撮像された被写体画像上に識別表示させる表示制御手段を備えたことを特徴とする請求項１に記載の撮像装置。
【請求項３】
前記合焦領域検出手段は、
前記オートフォーカスに伴って得られる複数の画像データに基づいて前記合焦領域を検出することを特徴とする請求項１又は２に記載の撮像装置。
【請求項４】
前記オートフォーカス制御手段は、
フォーカスレンズを移動させるとともに、前記フォーカスレンズの各レンズ移動位置で前記撮像手段により撮像された画像データのＡＦ評価値を検出するＡＦ評価値検出手段を備え、
前記ＡＦ評価値検出手段により検出されたＡＦ評価値に基づいたＡＦ合焦レンズ位置にフォーカスレンズを移動させ、
前記合焦領域検出手段は、
前記ＡＦ評価値検出手段により検出された前記各レンズ移動位置のＡＦ評価値と前記ＡＦ合焦レンズ位置とに基づいて、ピントの合っている合焦領域を検出することを特徴とする請求項１乃至３の何れかに記載の撮像装置。
【請求項５】
前記ＡＦ評価値検出手段は、
前記撮像手段により撮像された画像データを複数のブロックに区分けし、前記各レンズ移動位置における該区分けされた各ブロックのＡＦ評価値を検出し、
前記合焦領域検出手段は、
前記ＡＦ評価値検出手段により各ブロックごとに検出された各レンズ移動位置におけるＡＦ評価値に基づいて、前記各ブロックごとにＡＦ評価値がピークとなるときのブロック合焦レンズ位置を検出し、前記検出した各ブロック合焦レンズ位置と前記ＡＦ合焦レンズ位置とに基づいて、ピントの合っている合焦領域を検出することを特徴とする請求項４に記載の撮像装置。
【請求項６】
前記合焦領域検出手段は、
前記フォーカス制御手段により移動されたＡＦ合焦レンズ位置に対して、前記検出したブロック合焦レンズ位置が所定の閾値範囲内にあるブロックを合焦領域として検出することを特徴とする請求項５に記載の撮像装置。
【請求項７】
前記閾値範囲を設定する範囲設定手段を備え、
前記合焦領域検出手段は、
前記範囲設定手段により設定された閾値範囲に基づいて合焦領域を検出することを特徴とする請求項６に記載の撮像装置。
【請求項８】
前記オートフォーカス制御手段は、
前記ＡＦ評価値検出手段により検出された所定のＡＦエリア内のＡＦ評価値に基づいたＡＦ合焦レンズ位置にフォーカスレンズを移動させることを特徴とする請求項４乃至７の何れかに記載の撮像装置。
【請求項９】
前記ＡＦエリアは、
前記ブロックよりも広い画像領域であることを特徴とする請求項８に記載の撮像装置。
【請求項１０】
前記合焦領域検出手段は、
前記ＡＦ評価値検出手段により検出された前記各レンズ移動位置におけるＡＦエリア内のＡＦ評価値と前記ＡＦ合焦レンズ位置とに基づいて、前記ＡＦエリア内でピントの合っている合焦領域を検出することを特徴とする請求項９に記載の撮像装置。
【請求項１１】
前記撮像手段により撮像された被写体画像の画像色を検出する色検出手段を備え、
前記表示制御手段は、
前記色検出手段により検出された画像色が、前記ＡＦエリア内における合焦領域の画像色と同じ画像色となっている合焦領域を他の領域と識別表示させることを特徴とする請求項８乃至１０の何れかに記載の撮像装置。
【請求項１２】
前記表示制御手段は、
前記ＡＦエリア内における合焦領域の画像色を示す情報を表示させることを特徴とする請求項１１に記載の撮像装置。
【請求項１３】
前記合焦領域検出手段は、
前記オートフォーカス制御手段によるオートフォーカスによりピントの合った合焦領域を、前記撮像手段により撮像された画像データを解析することにより検出することを特徴とする請求項１又は２に記載の撮像装置。
【請求項１４】
前記撮像手段による被写体の静止画撮影を行なう静止画撮影制御手段を備え、
前記表示制御手段は、
前記静止画撮影制御手段により撮影された静止画データをプレビュー画像表示させるとともに、前記合焦領域検出手段により検出された合焦領域を前記プレビュー画像上に識別表示させることを特徴とする請求呼応２乃至１３の何れかに記載の撮像装置。
【請求項１５】
前記静止画撮影制御手段により撮影された静止画データを記録手段に記録する記録制御手段と、
前記記録手段に記録された静止画データを再生表示させる再生制御手段と、を備え、
前記記録制御手段は、
前記静止画データを前記合焦領域検出手段により検出された合焦領域と関連付けて前記記録手段に記録し、
前記表示制御手段は、
前記再生制御手段が、前記記録手段に記録された静止画データを再生表示させる際に、前記静止画データと関連付けて記録されている合焦領域を、前記静止画データに基づいた被写体画像上に識別表示させることを特徴とする請求項１４に記載の撮像装置。
【請求項１６】
被写体を撮像する撮像処理と、
前記撮像処理により撮像された被写体に対して、所定のオートフォーカスを行なうオートフォーカス処理と、
前記オートフォーカス処理によりピントが合った合焦領域を検出する合焦領域検出処理と、
を含み、上記各処理をコンピュータで実行させることを特徴とするプログラム。
【発明の詳細な説明】
【技術分野】
【０００１】
本発明は、撮像装置及びそのプログラムに係り、詳しくは、ＡＦ機能を有した撮像装置及びそのプログラムに関する。
【背景技術】
【０００２】
撮像装置、例えば、デジタルカメラにおいては、シャッタボタンが半押しされると、ＡＦ動作により被写体にピントを合わせてから撮影処理を行っていた（特許文献１）。
【０００３】
【特許文献１】公開特許公報  特開２００３−２５５４２８
【発明の開示】
【発明が解決しようとする課題】
【０００４】
しかしながら、上記技術によれば、ＡＦエリアに対してオートフォーカスしたとしても、実際ＡＦエリア内のどの部分にピントが合っているのかが分からず、実際に合焦している領域を識別することができないという問題点があった。
また、実際に合焦している領域を識別することができないため、ユーザは、撮影したい被写体に、本当にピントが合っているか否かが分からないまま、撮影を行なわなければならなかった。
【０００５】
そこで本発明は、かかる従来の問題点に鑑みてなされたものであり、実際にピントの合っている合焦領域を容易に確認することができる撮像装置及びそのプログラムを提供することを目的とする。
【課題を解決するための手段】
【０００６】
上記目的達成のため、請求項１記載の発明による撮像装置は、被写体を撮像する撮像手段と、
前記撮像手段により撮像される被写体に対して、所定のオートフォーカスを行なうオートフォーカス制御手段と、
前記オートフォーカス制御手段によるオートフォーカスによりピントが合った合焦領域を検出する合焦領域検出手段と、
を備えたことを特徴とする。
【０００７】
また、例えば、請求項２に記載されているように、前記合焦領域検出手段により検出された合焦領域を、前記撮像手段により撮像された被写体画像上に識別表示させる表示制御手段を備えるようにしてもよい。
【０００８】
また、例えば、請求項３に記載されているように、前記合焦領域検出手段は、
前記オートフォーカスに伴って得られる複数の画像データに基づいて前記合焦領域を検出するようにしてもよい。
【０００９】
また、例えば、請求項４に記載されているように、前記オートフォーカス制御手段は、
フォーカスレンズを移動させるとともに、前記フォーカスレンズの各レンズ移動位置で前記撮像手段により撮像された画像データのＡＦ評価値を検出するＡＦ評価値検出手段を備え、
前記ＡＦ評価値検出手段により検出されたＡＦ評価値に基づいたＡＦ合焦レンズ位置にフォーカスレンズを移動させ、
前記合焦領域検出手段は、
前記ＡＦ評価値検出手段により検出された前記各レンズ移動位置のＡＦ評価値と前記ＡＦ合焦レンズ位置とに基づいて、ピントの合っている合焦領域を検出するようにしてもよい。
【００１０】
また、例えば、請求項５に記載されているように、前記ＡＦ評価値検出手段は、
前記撮像手段により撮像された画像データを複数のブロックに区分けし、前記各レンズ移動位置における該区分けされた各ブロックのＡＦ評価値を検出し、
前記合焦領域検出手段は、
前記ＡＦ評価値検出手段により各ブロックごとに検出された各レンズ移動位置におけるＡＦ評価値に基づいて、前記各ブロックごとにＡＦ評価値がピークとなるときのブロック合焦レンズ位置を検出し、前記検出した各ブロック合焦レンズ位置と前記ＡＦ合焦レンズ位置とに基づいて、ピントの合っている合焦領域を検出するようにしてもよい。
【００１１】
また、例えば、請求項６に記載されているように、前記合焦領域検出手段は、
前記フォーカス制御手段により移動されたＡＦ合焦レンズ位置に対して、前記検出したブロック合焦レンズ位置が所定の閾値範囲内にあるブロックを合焦領域として検出するようにしてもよい。
【００１２】
また、例えば、請求項７に記載されているように、前記閾値範囲を設定する範囲設定手段を備え、
前記合焦領域検出手段は、
前記範囲設定手段により設定された閾値範囲に基づいて合焦領域を検出するようにしてもよい。
【００１３】
また、例えば、請求項８に記載されているように、前記オートフォーカス制御手段は、
前記ＡＦ評価値検出手段により検出された所定のＡＦエリア内のＡＦ評価値に基づいたＡＦ合焦レンズ位置にフォーカスレンズを移動させるようにしてもよい。
【００１４】
また、例えば、請求項９に記載されているように、前記ＡＦエリアは、
前記ブロックよりも広い画像領域であることにより検出するようにしてもよい。
【００１５】
また、例えば、請求項１０に記載されているように、前記合焦領域検出手段は、
前記ＡＦ評価値検出手段により検出された前記各レンズ移動位置におけるＡＦエリア内のＡＦ評価値と前記ＡＦ合焦レンズ位置とに基づいて、前記ＡＦエリア内でピントの合っている合焦領域を検出するようにしてもよい。
【００１６】
また、例えば、請求項１１に記載されているように、前記撮像手段により撮像された被写体画像の画像色を検出する色検出手段を備え、
前記表示制御手段は、
前記色検出手段により検出された画像色が、前記ＡＦエリア内における合焦領域の画像色と同じ画像色となっている合焦領域を他の領域と識別表示させるようにしてもよい。
【００１７】
また、例えば、請求項１２に記載されているように、前記表示制御手段は、
前記ＡＦエリア内における合焦領域の画像色を示す情報を表示させるようにしてもよい。
【００１８】
また、例えば、請求項１３に記載されているように、前記合焦領域検出手段は、
前記オートフォーカス制御手段によるオートフォーカスによりピントの合った合焦領域を、前記撮像手段により撮像された画像データを解析することにより検出するようにしてもよい。
【００１９】
また、例えば、請求項１４に記載されているように、前記撮像手段による被写体の静止画撮影を行なう静止画撮影制御手段を備え、
前記表示制御手段は、
前記静止画撮影制御手段により撮影された静止画データをプレビュー画像表示させるとともに、前記合焦領域検出手段により検出された合焦領域を前記プレビュー画像上に識別表示させるようにしてもよい。
【００２０】
また、例えば、請求項１５に記載されているように、前記静止画撮影制御手段により撮影された静止画データを記録手段に記録する記録制御手段と、
前記記録手段に記録された静止画データを再生表示させる再生制御手段と、を備え、
前記記録制御手段は、
前記静止画データを前記合焦領域検出手段により検出された合焦領域と関連付けて前記記録手段に記録し、
前記表示制御手段は、
前記再生制御手段が、前記記録手段に記録された静止画データを再生表示させる際に、前記静止画データと関連付けて記録されている合焦領域を、前記静止画データに基づいた被写体画像上に識別表示させるようにしてもよい。
【００２１】
上記目的達成のため、請求項１６記載の発明によるプログラムは、被写体を撮像する撮像処理と、
前記撮像処理により撮像された被写体に対して、所定のオートフォーカスを行なうオートフォーカス処理と、
前記オートフォーカス処理によりピントが合った合焦領域を検出する合焦領域検出処理と、
を含み、上記各処理をコンピュータで実行させることを特徴とする。
【発明の効果】
【００２２】
本発明によれば、実際にピントが合っている領域を識別表示させることができ、ユーザはどの部分が実際にピントが合っているかを容易に識別することができる。
【発明を実施するための最良の形態】
【００２３】
以下、本実施の形態について、本発明の撮像装置をデジタルカメラに適用した一例として図面を参照して詳細に説明する。
[実施の形態]
【００２４】
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、ＣＣＤ４、ドライバ５、ＴＧ（timing
generator）６、ユニット回路７、画像生成部８、ＡＦ評価値算出部９、ＣＰＵ１０、キー入力部１１、メモリ１２、ＤＲＡＭ１３、フラッシュメモリ１４、画像表示部１５、バス１６を備えている。
【００２５】
撮影レンズ２は、複数のレンズ群から構成されるフォーカスレンズ２ａ、ズームレンズ２ｂ等を含む。そして、撮影レンズ２にはレンズ駆動ブロック３が接続されている。レンズ駆動ブロック３は、フォーカスレンズ２ａ、ズームレンズ２ｂをそれぞれ光軸方向に沿って駆動させるフォーカスモータ、ズームモータと、ＣＰＵ１０から送られてくる制御信号にしたがって、フォーカスモータ、ズームモータを駆動させるフォーカスモータドライバ、ズームモータドライバから構成されている（図示略）。
フォーカスレンズ２ａは、図２に示すように、例えば、所定の移動間隔としての１ステップを１つの単位として、光軸方向に沿って移動していく。また、このフォーカスレンズ２ａは一方のレンズ端から他方のレンズ端まで（駆動範囲内で）移動する。
【００２６】
ＣＣＤ４は、ドライバ５によって駆動され、一定周期毎に被写体像のＲＧＢ値の各色の光の強さを光電変換して撮像信号としてユニット回路７に出力する。このドライバ５、ユニット回路７の動作タイミングはＴＧ６を介してＣＰＵ１０により制御される。
【００２７】
ユニット回路７には、ＴＧ６が接続されており、ＣＣＤ４から出力される撮像信号を相関二重サンプリングして保持するＣＤＳ（Correlated Double Sampling）回路、そのサンプリング後の撮像信号の自動利得調整を行なうＡＧＣ（Automatic Gain Control）回路、その自動利得調整後のアナログの撮像信号をデジタル信号に変換するＡ／Ｄ変換器から構成されており、ＣＣＤ４から出力された撮像信号はユニット回路７を経てデジタル信号として画像生成部８に送られる。
【００２８】
画像生成部８は、ユニット回路７から送られてきた画像データに対してγ補正処理、ホワイトバランス処理などの処理を施すとともに、輝度色差信号（ＹＵＶデータ）を生成し、該生成された輝度色差信号の画像データはＣＰＵ１０に送られる。つまり、画像生成部８は、ＣＣＤ４から出力された画像データに対して画像処理を施す。
【００２９】
ＡＦ評価値算出部９は、オートフォーカス動作時に各フォーカスポイント（フォーカスレンズ２ａの各レンズ位置）においてＣＣＤ４により撮像される画像データを複数のブロックに区分けし、該区分けされたブロックの画像データに基づいて高周波成分を抽出し、該抽出した高周波成分を積算してＡＦ評価値を算出する。
図３は、区分けされた画像データの様子の例示であり、各区分けされたブロック毎にＡＦ評価値が算出される。よって、各レンズ位置毎にＣＣＤ４により画像データが撮像されるので、各レンズ位置毎に各ブロックのＡＦ評価値が算出されることになる。なお、実際は図３に示すより細かく区分けされている。また、各ブロックは、後述するＡＦエリアよりも十分に小さな領域として区分けされている。
【００３０】
ＣＰＵ１０は、画像生成部８から送られてきた画像データの圧縮・伸張（例えば、ＪＰＥＧ形式、ＭＰＥＧ形式の圧縮・伸張）処理や、ＡＦ処理、ＡＥ処理を行う機能を有するとともに、デジタルカメラ１の各部を制御するワンチップマイコンである。
特に、ＣＰＵ１０は、算出されたＡＦ評価値に基づくＡＦ動作、算出されたＡＦ評価値に基づく合焦領域の検出、該検出された合焦領域の識別表示などを行う機能を有する。
【００３１】
キー入力部１１は、半押し全押し可能な２段階のストローク操作を有したシャッタボタン、セットキー、十字キー等の複数の操作キーを含み、ユーザのキー操作に応じた操作信号をＣＰＵ１０に出力する。
メモリ１２には、ＣＰＵ１０が各部を制御するのに必要な制御プログラム、及び必要なデータが記録されており、ＣＰＵ１０は、該プログラムに従い動作する。
【００３２】
ＤＲＡＭ１３は、ＣＣＤ４によって撮像された後、ＣＰＵ１０に送られてきた画像データを一時記憶するバッファメモリとして使用されるとともに、ＣＰＵ１０のワーキングメモリとして使用される。
フラッシュメモリ１４は、圧縮された画像データを保存する記録媒体である。
【００３３】
画像表示部１５は、カラーＬＣＤとその駆動回路を含み、撮影待機状態にあるときには、ＣＣＤ４によって撮像された被写体をスルー画像として表示し、動画撮影中のときもＣＣＤ４によって撮像された被写体の動画を表示させる。また、動画撮影中に静止画撮影処理が行なわれた場合は、動画とともに撮影された静止画を表示させる。
【００３４】
Ｂ．デジタルカメラ１の動作
実施の形態におけるデジタルカメラ１の動作を図４のフローチャートに従って説明する。
【００３５】
ユーザのモードキーの操作により静止画撮影モードに設定されると、ＣＰＵ１０は、ＣＣＤ４による撮像を開始させ、該撮像され画像生成部８によって生成された輝度色差信号の画像データを画像表示部１５に表示させるという、いわゆるスルー画像表示を開始する（ステップＳ１）。このとき、スルー画像表示とともに、ＡＦエリアも表示させる。このＡＦエリアとは、ピントを合わせる被写体の範囲を示すものであり、ＡＦエリア内の被写体に対してオートフォーカスさせる。したがって、ユーザはＡＦエリアを真に撮影したい被写体に合わせることになる。
【００３６】
次いで、ＣＰＵ１０は、シャッタボタンが半押しされたか否かを判断する（ステップＳ２）。この判断は、シャッタボタンの半押しに対応する操作信号がキー入力部１１から送られてきたか否かにより判断する。
ステップＳ２で、シャッタボタンが半押しされていないと判断するとシャッタボタンが半押しされるまでステップＳ２に留まり、シャッタボタンが半押しされたと判断すると、ＣＰＵ１０は、ＡＦサーチを実行する（ステップＳ２）。
【００３７】
このＡＦサーチについて具体的に説明すると、ＣＰＵ１０は、レンズ駆動ブロック３に制御信号を送ることにより、フォーカスレンズ２ａを一方のレンズ端（例えば、撮影者に近い被写体にピントが合う側のレンズ位置の端）から他方のレンズ端（例えば、撮影者から遠い被写体にピントが合う側のレンズ位置の端）まで移動させていくとともに（サーチ移動）、各レンズ位置における画像データを読出し、該読出した画像データに基づいてＡＦ評価値算出部９に区分けされた各ブロックのＡＦ評価値を算出させることにより、各レンズ位置における各ブロックのＡＦ評価値を算出させる。この算出された各レンズ位置における各ブロックのＡＦ評価値はバッファメモリ（ＤＲＡＭ１３）に記憶される。
【００３８】
次いで、ＣＰＵ１０は、ＡＦエリア内にある全てのブロックのＡＦ評価値に基づいて合焦レンズ位置を導出し、該導出した合焦レンズ位置にフォーカスレンズ２ａを移動させる（ステップＳ４）。つまり、コントラスト検出方式によるオートフォーカス動作を行なう。
【００３９】
尚、合焦レンズ位置の導出は、具体的には、ＡＦ評価値を算出したレンズ位置毎にＡＦエリア内にある全てのブロックのＡＦ評価値を合計した合計ＡＦ評価値を算出し、この合計ＡＦ評価値が、例えば、最も高くなるレンズ位置を合焦レンズ位置として導出することができる。
図５（ａ）は、ＡＦ表価値を算出したレンズ位置毎にＡＦエリア内にある全てのブロックのＡＦ評価値が合計された合計ＡＦ評価値の様子を示すものである。そして、合計ＡＦ評価値がピークとなっているときのレンズ位置（黒点２１の位置）が合焦レンズ位置となる。
【００４０】
次いで、ＣＰＵ１０は、ステップＳ４でのＡＦ動作により、実際にピントが合った領域を検出する処理を行う（ステップＳ５）。
この検出処理は、バッファメモリに記憶された各ブロックごとの各レンズ位置におけるＡＦ評価値に基づいて行なう。
つまり、各ブロックごとに、ＡＦ評価値が最も高くなるレンズ位置（ブロック合焦レンズ位置という）を検出する。そして、各ブロックのうち、該検出したブロック合焦レンズ位置が、ステップＳ５で検出した合焦レンズ位置と比較して、その差が予め設定されている所定の閾値範囲内にあるブロックを検出することにより、ピントの合っている領域（ブロック）を検出する。
【００４１】
尚、この閾値範囲の設定は、設定モードにおいてユーザが任意に設定することができる。この設定方法としては、「狭」、「中」、「広」の三段階で設定することができ、「狭」が設定された場合は、高精度にピントの合っている領域しか検出されず（つまり、ブロック合焦レンズ位置が合焦レンズ位置と略同一のブロックしか検出されず）、「広」が設定された場合は、大まかにピントの合っている領域も検出される（つまり、ブロック合焦レンズ位置が合焦レンズ位置とある一定の広い範囲内にあるブロックが検出される）。
【００４２】
図２を見ると分かるように、閾値範囲が「狭」の場合は、例えば、合焦レンズ位置から１ステップまでズレたレンズ位置を閾値範囲とする。そして、このときには、ステップＳ４で検出された合焦レンズ位置と、ブロック合焦レンズ位置との差が１ステップ以内の位置にあるブロックがピントの合っている領域として検出されることになる。また、閾値範囲が「中」の場合は、例えば、合焦レンズ位置から３ステップまでズレたレンズ位置を閾値範囲とする。そして、このときには、ステップＳ４で検出された合焦レンズ位置と、ブロック合焦レンズ位置との差が３ステップ以内の位置にあるブロックがピントの合っている領域として検出される。更に、閾値範囲が「広」の場合は、例えば、合焦レンズ位置から５ステップまでズレたレンズ位置を閾値範囲とする。そして、このときには、ステップＳ４で検出された合焦レンズ位置と、ブロック合焦レンズ位置との差が５ステップ以内の位置にあるブロックがピントの合っている領域として検出されることになる。
このように、閾値範囲を可変させることによりピントが合っていると判断される精度を変えることができる。そして、閾値範囲が狭ければそれだけピントが合っていると判断される精度が高まり、検出される領域は少なくなる。一方、閾値範囲が広ければそれだけピントが合っていると判断される精度が低くなり、検出される領域は多くなる。
【００４３】
図５（ｂ）〜（ｅ）は、各ブロックのレンズ位置に対するＡＦ評価値の様子を示すものである。
そして、図５（ｂ）に示されるブロックにおいてはＡＦ評価値がピークとなるときのレンズ位置（ブロック合焦レンズ位置）は、黒点２２の位置であり、図５（ｃ）に示されるブロックにおいてはブロック合焦レンズ位置は黒点２３であり、図５（ｄ）に示されるブロックにおいてはブロック合焦レンズ位置は黒点２４であり、図５（ｅ）に示されるブロックにおいてはブロック合焦レンズ位置は黒点２５である。
【００４４】
ここで、図５の縦の点線は、ステップＳ４で検出された合焦レンズ位置を示すものであり、網がかかっている領域は前記合焦レンズ位置を中心とした前記閾値範囲を示すものである。
したがって、網がかっている範囲にＡＦ評価値のピークがあるブロックがピントの合っているブロックということになるので、図５（ｃ）に示されるブロックと図５（ｅ）に示されるブロックとがピントの合っているブロックということになる。一方、図５（ｂ）に示されるブロックと図５（ｄ）に示されるブロックは、ピントの合っていないブロックということになる。
【００４５】
図４のフローチャートに戻り、ピントの合っている領域（合焦領域）、つまり、ピントの合っているブロックを全て検出すると、ＣＰＵ１０は、該検出処理により検出された合焦領域のうち、例えば、ＡＦエリア内にある合焦領域の画像色を検出する処理を行う（ステップＳ６）。この画像色を検出する処理は周知技術なので説明を省略する。
次いで、ＣＰＵ１０は、該検出処理により検出された合焦領域の識別表示を行う（ステップＳ７）。このとき、ステップＳ６で、ＡＦエリア内での合焦領域で検出された画像色のうち一番多い画像色と同じ画像色の合焦領域のみを識別表示させる。
【００４６】
例えば、ＡＦエリア内での合焦領域で一番肌色が多いと判断すると、合焦領域の中で肌色部分のみの領域（ブロック）を識別表示させることになる。
また、この識別表示の方法として、例えば、画像上に着色表示をさせる。この着色表示としては、識別表示される領域の画像色（例えば、肌色）の系統と異なる系統の色（例えば、緑）で着色表示させるようにしてもよいし、識別表示される領域の画像色と同系色の色（例えば、人工的な肌色）で着色表示させるようにしてもよい。要はユーザが合焦領域であることを識別することができるものであればよい。
このとき、ＣＰＵ１０は、識別表示させた領域（ブロック）をメモリ１２の識別表示領域に記憶させる。
【００４７】
図６は、シャッタボタンが半押しされる直前に表示された被写体及びＡＦエリア３１の様子を示すものである。また、図７は、シャッタボタンが半押しされ、ステップ３からステップ７の処理が終了した後の表示状態を示すものである。そして、図７（ａ）は、閾値範囲が「狭」と設定されている状態で検出された合焦領域を識別表示させたときの様子の一例を示すものであり、図７（ｂ）は、閾値範囲が「広」と設定されている状態で検出された合焦領域を識別表示させたときの様子の一例を示すものである。図７（ａ）と図７（ｂ）を見比べると分かるように、閾値範囲が「広」方が「狭」よりも合焦領域として識別表示される領域が大きくなることが分かる。また、図７（ｂ）を見ると分かるように、ＡＦエリア３１内の画像色（肌色）とは異なる画像色を有する髪や服などは識別表示されておらず、肌色部分のみが識別表示されているのがわかる。
【００４８】
このように、ピントの合っている領域を識別表示させるので、ユーザはどこにピントが合っているかを識別することができる。また、ＡＦエリア３１内にある被写体がユーザが真にピントを合わせたい被写体であると考えられ、真にピントの合わせたい被写体のうち、実際どこの部分にピントが合っているかを識別することができる。つまり、ＡＦエリア３１にピントを合わせるといっても、ＡＦエリア内で被写体が込み入っている場合や、被写体によっては奥行きがあるので、従来技術では実際にどこに部分にピントが合っているのか分からなかったが、本発明によれば、真に撮影したい被写体のどこの部分にピントが合っているかもユーザは識別することができる。また、ＡＦエリア内で検出された画像色のうち一番多い画像色と同じ画像色の合焦領域を識別表示させるようにすることで、ＡＦエリアから外れてはいるものの、真に撮影したい被写体に関係する合焦領域をもユーザは識別することができる。そしてこのとき同時に、ピントが合ってはいるものの、真に撮影したい被写体と関係していない領域を、真に撮影したい被写体に関係する合焦領域に対する識別表示から除外することもできる。
【００４９】
なお、上述では、ＡＦエリア内で検出された画像色のうち一番多い画像色と同じ画像色の合焦領域を識別表示させるようにしたが、合焦領域と判断された領域のうち、ＡＦエリア内にある合焦領域のみに対して識別表示させるようにしてもよい。
また、この着色表示によりピントの合っている領域を識別表示させるようにしたが、要はユーザがピントの合っている領域を視認させることができればよいので、上述したような着色表示とは異なる他の方法でもよい。
【００５０】
したがって、着色表示に限らず、合焦領域を囲むことによりユーザに対して合焦領域を視認させるようにしてもよいし、検出された合焦領域の周辺をエッジ強調させることにより、合焦領域をユーザに対して視認させるようにしてもよい。
図８は閾値範囲が「中」と設定されている状態で、検出された合焦領域を識別表示させたときの様子の一例を示すものである。図８（ａ）は合焦領域を枠で囲むことによりユーザに視認させる態様を示し、図８（ｂ）は合焦領域の周辺をエッジ強調させることによりユーザに視認させる態様を示している。
図８（ａ）の場合は、具体的にどこの部分にピントが合っているかわからないため、ピントが合っている領域の画像色を表示させるようにする。この色表示は、枠の色をピントの合っている領域の画像色にすることでピントの合っている領域を知らせたり、色名を表示させるようにしてもよい。
【００５１】
図４のフローチャートに戻り、合焦領域を識別表示させると、ＣＰＵ１０は、ユーザによってシャッタボタンが全押しされたか否かを判断する（ステップＳ８）。この判断は、シャッタボタン全押しに対応する操作信号がキー入力部１１から送られてきたか否かにより判断する。
ステップＳ８で、シャッタボタンが全押しされていないと判断すると、ＣＰＵ１０は、シャッタボタン半押し状態が解除されたか否かを判断する（ステップＳ９）。この判断は、シャッタボタン半押しに対応する操作信号がキー入力部１１から送られて来なくなったか否かにより判断する。
【００５２】
ステップＳ９で、シャッタボタン半押し状態が解除されていないと判断するステップＳ８に戻り、ステップＳ９でシャッタボタン半押し状態が解除されたと判断するとステップＳ２に戻る。ユーザは、識別表示された領域（ピントの合っている領域）を見ることにより、自分が真に撮影したい被写体に上手くピントが合っていない場合にはシャッタボタンを解除することにより、もう一度ＡＦ処理をやり直すことができる。
【００５３】
一方、ステップＳ８で、シャッタボタンが全押しされたと判断すると、ＣＰＵ１０は、静止画撮影処理を行う（ステップＳ１０）。つまり、ＣＣＤ４に比較的長い出力タイミングで１画面中の偶数ラインの画素信号と、奇数ラインの画素信号を順に出力させて、全画素分の画像データ（静止画データ）を読出す。この読み出された静止画データは画像生成部８による画像処理を経てバッファメモリに記憶される。
【００５４】
次いで、ＣＰＵ１０は、該記憶した静止画データを画像表示部１５にプレビュー表示させるとともに、ピントの合っている領域を識別表示させる（ステップＳ１１）。この識別表示は、メモリ１２の識別表示領域に記憶されている識別表示させた領域に基づいて識別表示させる。
次いで、ＣＰＵ１０は、該静止画撮影処理により得られた静止画データを記録するか否かを判断する（ステップＳ１２）。この判断は、記録する旨の操作信号又は記録しない旨の操作信号がキー入力部１１から送られてきたか否かにより判断する。
【００５５】
ステップＳ１２で記録すると判断すると、静止画撮影処理により得られバッファメモリに記憶されている静止画データを圧縮してフラッシュメモリ１４に記録してステップＳ１に戻り、ステップＳ１２で記録しないと判断するとそのままステップＳ１に戻りスルー画像表示状態に復帰する。
【００５６】
Ｃ．以上のように、実施の形態においては、シャッタボタンが半押しされるとＡＦサーチを行い、該ＡＦサーチにより得られたＡＦエリア内のＡＦ評価値に基づいてＡＦ動作を行なうとともに、該ＡＦサーチにより得られたＡＦ評価値に基づいて、ＡＦ動作によりピントの合った合焦領域を検出し、該検出した合焦領域を識別表示させるようにしたので、どの部分にピントが合っているか否かをユーザは容易に判断することができる。
【００５７】
また、ＡＦエリア内のＡＦ評価値に基づいてＡＦ動作を行い、該ＡＦサーチにより得られたＡＦ評価値に基づいて、ＡＦ動作よってピントの合った領域を検出して識別表示するので、真に撮影した被写体のピントが合っているか、真に撮影したい被写体のどの部分にピントが合っているかを認識することができ、撮影したい被写体にピントが上手く合っていない場合は撮影前にＡＦ動作をやり直すことができる。
また、撮影後のプレビュー表示を行う際にピントの合っている領域を表示させるので、真に撮影したい被写体にピントが上手く合っていない場合は撮影をやり直すこともできる。
【００５８】
［変形例１］
Ｄ．なお、実施の形態は、以下のような変形例も可能である。
【００５９】
（１）上記実施の形態においては、図４ステップＳ３のＡＦサーチにおいてはＣＣＤ４により撮像された全画像データに基づいて、各レンズ位置におけるＡＦ評価値を検出するようにしたが、ＡＦエリア内の画像データに基づいて各レンズ位置におけるＡＦ評価値を検出していくようにしてもよい。
したがって、ステップＳ７では、ＡＦエリアの範囲内で合焦領域が識別表示されることになる。
【００６０】
（２）また、シャッタボタンが半押しされると、ＡＦサーチを実行し、該ＡＦＦサーチにより得られたＡＦ評価値に基づいて、ＡＦ動作及び合焦領域を検出するようにしたが、シャッタボタンが半押しされると、コントラスト検出方式等によるＡＦ処理を行い、その後得られた画像データを解析して、合焦領域を検出し該合焦領域を識別表示させるようにしてもよい。また、静止画撮影処理後のプレビュー表示においても、該プレビュー表示された静止画データを解析して合焦領域を検出し該合焦領域を表示させるようにしてもよい。
この合焦領域の検出方法としては、例えば、画像データのＡＦエリアの周波数スペクトルを読み取り、該読み取った周波数スペクトルの周波数成分と同一又は類似した周波数スペクトルを有する領域を合焦領域とする方法などがある。
【００６１】
（３）また、図４のステップＳ１３で静止画撮影処理により得られた静止画データを記録する際に、ステップＳ７でメモリ１２の識別表示領域に記憶させた「識別表示させた領域」も一緒に関連付けて記録し、該記録した静止画データの再生時に該関連付けて記録した「識別表示させた領域」に基づいて合焦領域を識別表示させるようにしてもよい。これにより、画像の再生表示時においても、具体的にどの部分にピントが合っているのかをユーザは簡単に認識することができる。
【００６２】
（４）また、上述では、閾値範囲として「狭」、「中」、「広」の三段階ついて設定可能な例について説明したが、更に複数段階設定することができるようにしてもよいし、ユーザが閾値範囲の設定を行なうことができないようにしてもよい。この場合には予め閾値範囲が設定されており、設定変更はできない。
【００６３】
（５）また、図４のステップＳ４においては、ＡＦエリア内のＡＦ評価値に基づいてＡＦ動作を行なうようにしたが、全画像データのＡＦ評価値に基づいてＡＦ動作を行なうようにしてもよいし、ＡＦエリアの位置、大きさなどをユーザが任意に変更することができ、該変更されたＡＦエリア内のＡＦ評価値に基づいてＡＦ動作を行なうようにしてもよい。
【００６４】
（６）また、上記実施の形態におけるデジタルカメラ１は、上記の実施の形態に限定されるものではなく、カメラ付き携帯電話、カメラ付きＰＤＡ、カメラ付きパソコン、デジタルビデオカメラ等でもよく、要は被写体を撮像し、該撮像した画像を表示することができる機能を有した機器であればよい。
【図面の簡単な説明】
【００６５】
【図１】本発明の実施の形態のデジタルカメラのブロック図である。
【図２】フォーカスレンズ２ａの移動の様子及び閾値範囲を説明するための図である。
【図３】ＡＦ評価値算出部９により区分けされる画像データの様子を示すものである。
【図４】実施の形態のデジタルカメラ１の動作を示すフローチャートである。
【図５】フォーカスレンズ位置におけるＡＦ評価値の様子を示す図である。
【図６】シャッタボタンが半押し直前に表示された被写体及びＡＦエリア３１の様子を示す図である。
【図７】識別表示の様子を示す図である。
【図８】識別表示の様子を示す図である。
【符号の説明】
【００６６】
１      デジタルカメラ
２      撮影レンズ
３      レンズ駆動ブロック
４      絞り
５      ＣＣＤ
６      ドライバ
７      ＴＧ
８      ユニット回路
９      画像生成部
１０    ＣＰＵ
１１    キー入力部
１２    メモリ
１３    ＤＲＡＭ
１４    フラッシュメモリ
１５    画像表示部
１６    バス
【図１】
2008004996.tif 000003
【図２】
2008004996.tif 000004
【図３】
2008004996.tif 000005
【図４】
2008004996.tif 000006
【図５】
2008004996.tif 000007
【図６】
2008004996.tif 000008
【図７】
2008004996.tif 000009
【図８】
2008004996.tif 000010